(57)【要約】【課題】従来の技術にはロ−ソクを設置する場合、石の枠体や粘着テ−プを使用して墓にロ−ソクを供える技術があるが石の枠体を設置するには納骨堂が必要であり、粘着テ−プを貼るには磨かれている土台を必要とする。しかし墓には一個の墓石だけで形成された墓がある。このような墓の多くは元々磨かずに用いられているのが多い、又、磨かれていたと思われる墓も長い年月、風雨にさらされ表面が荒れている。このような墓には従来の技術は使用することが出来ない。【解決手段】下面に固定用の棒を持つロ−ソク立ては蝋涙受け皿の下面に先の尖った棒を設置している。この棒を地面に刺しこんで蝋涙受け皿を固定させた後、ロ−ソクを立設するピンにロ−ソクを立て点火した後で風除けを装着する事で墓の状態に関係なくロ−ソクを供えることが出来る。【選択図】図１
2007132034.tif 000002
【特許請求の範囲】
【請求項１】
蝋涙の受け皿の下面には、地面に圧入可能な先の尖った棒が固着され、上面にはロ−ソクの下面の穴に嵌合し得るピンが立設され、更に蝋涙の受け皿の周辺に透光性の風除け筒を嵌合可能に形成したことを特徴とする下面に固定用の棒を持つロ−ソク立て。
【請求項２】
受け皿の周辺と風除け筒の下端とに互いに着脱自在の係止機構を形成した請求項１記載のロ−ソク立て。
【請求項３】
風除け筒は、耐熱不燃性のプラスチック材料にて、やや先細りに形成された請求項１または２記載のロ−ソク立て。
【発明の詳細な説明】
【技術分野】
【０００１】
この発明は墓参した時、固定用の棒を地面に立てて固定した後、蝋涙受け皿に風除けを装着して使用するロ−ソク立てに関する。
【背景技術】
【０００２】
従来の墓前に備えるロ−ソク立てには台板と平面コ字状の枠体と天板とを順次積層して枠体の側面開口部に扉を取り付けて枠体を納骨堂の蓋石の上に設置して線香とロ−ソクを供える物がある。（例えば特許文献１参照）
又、前面側に開閉扉を備えた収容箱と蝋燭と線香を供える板体付きの保持台よりなり保持台を収容箱より出し入れ自在に設置出来るようにして納骨堂の蓋石の上に設置した物がある（例えば突許文献２参照）
又、墓参用品を包装した包装ケ−スを使用後ケ−スの蓋部分を開放し蓋部分の裏面側に付けていた粘着テ−プを墓石の土台に付着させて風除けとしている物もある。（例えば特許文献３参照）
【０００３】
以上に述べたように上記記載の先例技術には、加工した石を積層して枠体や収容箱を形成し中にロ−ソクと線香を供えるように工夫した物や、墓参用品を包装した包装ケ−スを使用後に風除けとして利用する物がある。枠体と収容箱を設置するには納骨堂が必要である。又、包装ケ−スは粘着テ−プを付着するので磨かれている土台となる石が必要である。以上に述べたように先例技術の問題点は納骨堂や磨かれている土台となる石が無い墓には使用出来ないことである。
【０００４】
【特許文献１】実開平７−３４１６７
【特許文献２】特開２０００−５１０６４
【特許文献３】実用新案登録第３０７８１８２
【発明の開示】
【発明が解決しようとする課題】
【０００５】
本発明は納骨堂を備えていない墓や、磨かれている土台となる石を備えていない一つの石より形成される墓の前面に、下面に固着している固定用の棒を利用して地面に固定する事でロ−ソクを供える事を目的としている。
【課題を解決するための手段】
【０００６】
前記課題を達成するために蝋涙受け皿の下面には地面に圧入可能な先の尖った棒が固着され、上面にはロ−ソク下面の穴に嵌合し得るピンが立設され、さらに蝋涙の受け皿の周辺に透光性の風除け筒を嵌合可能に形成したものである。
【０００７】
また、受け皿の周辺と風除け筒の下端とに互いに着脱自在の係止機構を形成し風除け筒は耐熱不燃性のプラスチック材料にてやや先細りに形成したものである。
【０００８】
また、風除け筒は耐熱不燃性のプラスチック材料にて、やや先細りに形成されたものである。
【発明の効果】
【０００９】
固定用の棒を地面に圧入して固定さすことで蝋涙受け皿にロ−ソクを安定して立設出来る。又、受け皿の周辺と風除け筒の下端とに互いに着脱自在の係止機構を形成した事で簡易に風除けを装着出来る。
【００１０】
ロ−ソク立てはプラスチック等で出来ている為、石の製品と比較すると安価で軽い、その為購入しやすく持ち運びが容易である。その結果多くの墓にロ−ソクを供えることが出来る。又プラスチックであるのである程度の耐久性もある。
【発明を実施するための最良の形態】
【００１１】
本発明の形態を図面に基づいて説明する。図１は蝋涙受け皿の断面図である。図２は図１におけるＡ−Ａ線に沿った断面図、図３は円形状蝋涙受け皿の実施例の斜視図、図４は４角形蝋涙受け皿の実施例の斜視図、図５は横に切れ目を持つ風除けの斜視図、図６は低部から縦に切れ目を持つ風除けの斜視図  図７〜図８は円錐部が風除けの穴に嵌合する過程を示す断面図。
【００１２】
図１の蝋涙受け皿の下面５から出ている固定用の棒１は蝋涙受け皿下面の中央より受け皿全体を支える棒である。棒は地中に突き立てる事が可能な硬さを持つポリカ−ボネ−ト樹脂を材料とし先になるに従って細くなり、先端は土が固い時に回すと周囲の土を削り刺し込み易くする為にプラスのドライバ−状１０になっている。材料はポリカ−ボネ−ト樹脂に限定されず、他の硬質プラスチックや軽合金に代えてもよい。棒の長さは多様な墓に対応出来る様に５０ｍｍ〜３００ｍｍとする。使用方法として固定用の棒１を地面に立てる時、小さいサイズの物は両手で皿を下面から支えるように持ち固定用の棒１の上あたりに親指を当てて押し込む。地面に垂直に立てた事を確認後、更に押し込む時は親指と人指し指を蝋涙受け皿の上に当て安定したことを確認するまで押し込む。大きいサイズの物は下面の棒１が長いため、押し込むだけでは棒を損傷するので予めスコップで棒が安定すると思われる程度の穴を掘って垂直に立てた後、土を戻し棒の周囲を足で踏み固めるとよい。
【００１３】
蝋涙受け皿２は全体の厚さが２ｍｍ〜３ｍｍのポリカ−ボネ−ト樹脂で作られ図３に記載した円形状、図４に記載した４角形や５角形、６角形が墓前にロ−ソクを供えるにはふさわしい形である。円形状の直径は２０ｍｍ〜１５０ｍｍ、４角形は１辺が２０ｍｍ〜１５０ｍｍで皿の側面際に２個の排水用の穴６を持つ。蝋涙受け皿の上面４は中央に向かって軽く盛り上がり皿に入ってくる水を側面際の穴６から流すことが出来る。ロ−ソクを立設するピン９は１ｍｍ〜１．５ｍｍの太さで高さは１５ｍｍ〜３０ｍｍとし先の２ｍｍが滑らかな円形状でロ−ソクを差し込む際のロ−ソクの損傷を防ぎ差込易くしている。ロ−ソクは下面の棒１を地面に垂直に立て蝋涙受け皿に真っ直ぐに立てることが美しく望ましい。蝋涙受け皿２は黒色、茶色、ベ−ジュ色が落ち着いた色でいい。
【００１４】
蝋涙受け皿の側面３は皿の周囲から１０ｍｍ〜２０ｍｍ幅の高さとする。側面の中心線上に風除けが嵌る棒が固着部７として固着し、その棒先に円錐状の塊が円錐部８として着いている。固着部と円錐部がセットで風除けの装着部となる。蝋涙受け皿が小さい円形状の物は２箇所に装着部を持ち、４角形のものは２辺の１箇所に装着部を持つ。蝋涙受け皿２が７０ｍｍを越える円形状の物は４箇所に装着部を持ち、４角形の物は各辺に装着部を持つものとする。円錐部８は先に触れて痛くない程度に丸くなっている。固着部７は円錐部８を通過した風除けが嵌り、嵌った風除けが動かない程度の大きさとする。下面に棒を持つ蝋涙受け皿２は風除け１１の装着なしでも使用が可能である。
【００１５】
蝋涙受け皿側面３に装着する風除けは１１透明もしくは半透明で耐熱性を有するプラスチックが適しており、例えばポリプロピレン、ポリスチレン、アクリル、ポリカ−ボネイトなどが用いられる。厚さは１ｍｍ程度で風圧によって変形しない硬さを持ち上部に向かって狭くなる。例えば円錐台の風除けは直径７０ｍｍの物で２０ｍｍ狭くなり、４角形は１辺が７０ｍｍのもので上部に向かって２０ｍｍ狭くなる。狭くする事で重ねることが出来、持ち運びを容易にしている。上部は空洞１２で空気の出入り口になる。風除け１１の高さは小さい蝋涙受け皿２でも大きいロ−ソクが立設出来るように蝋涙受け皿２の大きさに拘わらず７０ｍｍ〜１７０ｍｍとするが、蝋涙受け皿２が小さいものはロ−ソクの火が当たり易いので風除け１１を装着せずに使用したがよい。風除け１１は透明以外にも淡い着色をした物や乳白色の物を用いることが出来、美観を有するものとすることが出来るし、花火に火を点けるのに使用しても楽しい。
【００１６】
蝋涙受け皿２の固着部７に嵌る風除け筒の穴は風除け筒の低部より縦に切れ目を有するものと横に対角線状に切れ目を有するものがある。縦に切れ目を有する風除けを装着する時は風除けの低部の切れ目を固着部７の上に当てゆっくり穴まで動かし嵌める。縦の切れ目は長時間、強風に合うと下の切れ目から外れることも考えられるが装着が容易である。横に切れ目を有する風除けを装着する時は、円錐部８と風除け筒の穴１４を合わせて風除けを上から押さえ、穴が円錐部８を通過した時のパチッとした感触が確認出来るまで押さえる。外す時は風除けの内側の下に指を当て外側に引く。その為に風除けを縦穴の物より１５ｍｍ程度長い作りとする。横に切れ目を持つ風除けは着脱がやや難しいが強風で外れる事が無いと言うメリットがある。風除けが円錐部を通過する時は、切れ目の周囲１５が風除けの外側に反ることによりスム−スに通過が出来る。反対に風除けを除去する時は切れ目の周囲１５が風除けの内側に反る事により外す事が出来る。そのためには風除け筒の材質は或る程度の弾力を有することが必要となる。穴の大きさは固着部７に嵌る程度の大きさで５ｍｍ〜７ｍｍとする。風除け筒を着けてロ−ソクに点火するのは風除け筒がロ−ソクより長いので点火が難しい。その為、風除け筒を装着する前の点火が容易である。                      
【図面の簡単な説明】
【００１７】
【図１】蝋涙受け皿の断面図
【図２】図１におけるＡ−Ａ線に沿った断面図
【図３】円形状蝋涙受け皿の実施例の斜視図
【図４】４角形蝋涙受け皿の実施例の斜視図
【図５】横に切れ目を持つ風除けの斜視図
【図６】低部から縦に切れ目を持つ風除けの斜視図
【図７】円錐部が風除けの穴に嵌合する過程を示す断面図。
【図８】円錐部が風除けの穴に嵌合する過程を示す断面図
【図９】円錐部が風除けの穴に嵌合する過程を示す断面図
【符号の説明】
【００１８】
１  下面に固定用の棒
２  蝋涙受け皿
３  蝋涙の受け皿の側面
４  蝋涙受け皿の上面
５  蝋涙受け皿の下面
６  蝋涙受け皿の側面際の穴
７  風除けの固着部
８  円錐部
９  ロ−ソク立て
１０  下面に固定用の棒の先端部
１１  風除け
１２  空洞
１３  縦に切れ目を有する穴      
１４  横に切れ目を有する穴
１５  穴の切れ目の周囲
１６  地面
【図１】
2007132034.tif 000003
【図２】
2007132034.tif 000004
【図３】
2007132034.tif 000005
【図４】
2007132034.tif 000006
【図５】
2007132034.tif 000007
【図６】
2007132034.tif 000008
【図７】
2007132034.tif 000009
【図８】
2007132034.tif 000010
【図９】
2007132034.tif 000011